(57)【要約】【課題】血液ポンプのローラが被しごきチューブから離間する瞬間に生じる逆流を利用することにより、プライミング工程後に被しごきチューブ内に残留した微小気泡に加え、血液回路及び血液浄化手段の流路から剥がれた微小気泡を円滑且つ確実に排出させることができる血液浄化装置及びその気泡の排出方法を提供する。【解決手段】プライミング液供給ラインＬｄから供給されたプライミング液をオーバーフローラインＬｅから排出させるとともに血液回路の流路内に充填させるプライミング工程と、血液ポンプ４のローラ１４が被しごきチューブＨから離間して逆流が生じる時点まで当該血液ポンプ４のロータ１３を正回転駆動させる正回転駆動工程と、気泡を移動させ得る逆回転駆動工程と、その移動した気泡をオーバーフローラインＬｅから排出させる排出工程とを行わせる制御手段Ｅを具備したものである。【選択図】図１
2019047855.tif 000002
【特許請求の範囲】
【請求項１】
動脈側血液回路及び静脈側血液回路を有するとともに、当該動脈側血液回路の先端から静脈側血液回路の先端まで患者の血液を体外循環させ得る血液回路と、
前記動脈側血液回路の基端及び静脈側血液回路の基端に接続され、前記血液回路を流れる血液を浄化し得る血液浄化手段と、
前記動脈側血液回路に接続された被しごきチューブと、
ロータを回転駆動させることにより前記被しごきチューブをローラでしごいて送液可能なしごき型ポンプから成り、前記ロータを正回転駆動させて前記ローラを前記被しごきチューブの長手方向に沿って転動させることにより前記動脈側血液回路の先端から前記血液浄化手段に向かって送液可能とされるとともに、前記ロータを逆回転駆動させて前記ローラを前記被しごきチューブの長手方向に沿って転動させることにより前記血液浄化手段から前記動脈側血液回路の先端に向かって送液可能な血液ポンプと、
前記血液回路内に供給されたプライミング液を外部に排出させ得る排出部と、
前記血液回路におけるプライミング液が充填された任意部位を閉塞することにより、前記血液ポンプのロータを正回転駆動させた際に前記被しごきチューブ内に陰圧を発生させ得る閉塞手段と、
前記血液ポンプ及び閉塞手段を制御可能な制御手段と、
を具備した血液浄化装置であって、
前記制御手段は、
前記血液回路内に供給されたプライミング液を前記排出部から排出させるとともに前記血液回路の流路内に充填させるプライミング工程と、
前記プライミング工程後、前記閉塞手段によってプライミング液が充填された前記任意部位を閉塞させるとともに、前記血液ポンプのローラが前記被しごきチューブから離間して逆流が生じる時点まで当該血液ポンプのロータを正回転駆動させる正回転駆動工程と、
前記正回転駆動工程において、前記血液ポンプのローラが前記被しごきチューブから離間して逆流を生じさせた後、前記閉塞手段による閉塞を解除しつつ前記ロータを逆回転駆動させ、気泡を移動させ得る逆回転駆動工程と、
前記逆回転駆動工程により移動した気泡を前記排出部から排出させる排出工程と、
を行わせることを特徴とする血液浄化装置。
【請求項２】
前記血液ポンプのローラが前記被しごきチューブから離間した時点を検出し得る検出手段を具備したことを特徴とする請求項１記載の血液浄化装置。
【請求項３】
前記検出手段は、前記ローラの位置を検出し得る位置検出手段から成ることを特徴とする請求項２記載の血液浄化装置。
【請求項４】
前記検出手段は、前記ローラの正回転駆動に伴って変化する前記血液回路内の圧力を検出可能な圧力検出手段から成ることを特徴とする請求項２記載の血液浄化装置。
【請求項５】
前記静脈側血液回路には、エアトラップチャンバが接続されるとともに、前記排出部は、当該エアトラップチャンバの上部から延設されたオーバーフローラインから成ることを特徴とする請求項１〜４の何れか１つに記載の血液浄化装置。
【請求項６】
前記排出部は、前記動脈側血液回路の先端又は前記静脈側血液回路の先端から成ることを特徴とする請求項１〜４の何れか１つに記載の血液浄化装置。
【請求項７】
動脈側血液回路及び静脈側血液回路を有するとともに、当該動脈側血液回路の先端から静脈側血液回路の先端まで患者の血液を体外循環させ得る血液回路と、
前記動脈側血液回路の基端及び静脈側血液回路の基端に接続され、前記血液回路を流れる血液を浄化し得る血液浄化手段と、
前記動脈側血液回路に接続された被しごきチューブと、
ロータを回転駆動させることにより前記被しごきチューブをローラでしごいて送液可能なしごき型ポンプから成り、前記ロータを正回転駆動させて前記ローラを前記被しごきチューブの長手方向に沿って転動させることにより前記動脈側血液回路の先端から前記血液浄化手段に向かって送液可能とされるとともに、前記ロータを逆回転駆動させて前記ローラを前記被しごきチューブの長手方向に沿って転動させることにより前記血液浄化手段から前記動脈側血液回路の先端に向かって送液可能な血液ポンプと、
前記血液回路内に供給されたプライミング液を外部に排出させ得る排出部と、
前記血液回路におけるプライミング液が充填された任意部位を閉塞することにより、前記血液ポンプのロータを正回転駆動させた際に前記被しごきチューブ内に陰圧を発生させ得る閉塞手段と、
を具備した血液浄化装置による気泡の排出方法であって、
前記血液回路内に供給されたプライミング液を前記排出部から排出させるとともに前記血液回路の流路内に充填させるプライミング工程と、
前記プライミング工程後、前記閉塞手段によってプライミング液が充填された前記任意部位を閉塞させるとともに、前記血液ポンプのローラが前記被しごきチューブから離間して逆流が生じる時点まで当該血液ポンプのロータを正回転駆動させる正回転駆動工程と、
前記正回転駆動工程において、前記血液ポンプのローラが前記被しごきチューブから離間して逆流を生じさせた後、前記閉塞手段による閉塞を解除しつつ前記ロータを逆回転駆動させ、気泡を移動させ得る逆回転駆動工程と、
前記逆回転駆動工程により移動した気泡を前記排出部から排出させる排出工程と、
を行わせることを特徴とする血液浄化装置による気泡の排出方法。
【請求項８】
前記血液ポンプのローラが前記被しごきチューブから離間した時点を検出し得る検出手段を具備したことを特徴とする請求項７記載の血液浄化装置による気泡の排出方法。
【請求項９】
前記検出手段は、前記ローラの位置を検出し得る位置検出手段から成ることを特徴とする請求項８記載の血液浄化装置による気泡の排出方法。
【請求項１０】
前記検出手段は、前記ローラの正回転駆動に伴って変化する前記血液回路内の圧力を検出可能な圧力検出手段から成ることを特徴とする請求項８記載の血液浄化装置による気泡の排出方法。
【請求項１１】
前記静脈側血液回路には、エアトラップチャンバが接続されるとともに、前記排出部は、当該エアトラップチャンバの上部から延設されたオーバーフローラインから成ることを特徴とする請求項７〜１０の何れか１つに記載の血液浄化装置による気泡の排出方法。
【請求項１２】
前記排出部は、前記動脈側血液回路の先端又は前記静脈側血液回路の先端から成ることを特徴とする請求項７〜１０の何れか１つに記載の血液浄化装置による気泡の排出方法。
【発明の詳細な説明】
【技術分野】
【０００１】
本発明は、ダイアライザを使用した透析治療など、患者の血液を体外循環させつつ浄化するための血液浄化装置及びその気泡の排出方法に関するものである。
【背景技術】
【０００２】
一般に、透析治療時においては、採取した患者の血液を体外循環させて再び体内に戻すための血液回路が用いられており、かかる血液回路は、例えば中空糸膜を具備したダイアライザ（血液浄化手段）と接続し得る動脈側血液回路及び静脈側血液回路から主に構成されている。これら動脈側血液回路及び静脈側血液回路の各先端には、動脈側穿刺針及び静脈側穿刺針が取り付けられ、それぞれが患者に穿刺されて透析治療における血液の体外循環が行われることとなる。
【０００３】
このうち、動脈側血液回路には、被しごきチューブが接続されるとともに、当該被しごきチューブをローラにてしごくことにより送液可能なしごき型の血液ポンプが配設されている。かかる血液ポンプを駆動させることにより、血液回路内において患者の血液を体外循環させることができるので、その体外循環する血液に対してダイアライザによる血液浄化治療が施されることとなる。
【０００４】
また、動脈側血液回路には、血液回路にプライミング液を供給するためのプライミング液供給ラインが接続されている。そして、透析治療前、プライミング液供給ラインからプライミング液を供給しつつオーバーフローラインから排出させて血液回路内の気泡を排出させるとともに、血液回路の流路内にプライミング液を充填させるプライミング工程が行われるようになっている（例えば、特許文献１参照）。
【先行技術文献】
【特許文献】
【０００５】
【特許文献１】特開２０１０−２７３６９３号公報
【発明の概要】
【発明が解決しようとする課題】
【０００６】
しかしながら、上記従来の血液浄化装置においては、特に被しごきチューブに充填されたプライミング液中に微小気泡が残留した場合、その微小気泡を血液回路外に排出させるためには、大量且つ流速が高いプライミング液が必要となってしまう虞があった。
【０００７】
しかるに、本出願人は、吸込み側の流路を閉塞した状態で血液ポンプを駆動し、被しごきチューブ内に陰圧を発生させると、血液ポンプのローラが被しごきチューブから離間する瞬間に逆流が生じる現象を見いだした。このとき生じる逆流は、血液ポンプの駆動時の流速よりも速いことから、当該逆流を利用して、被しごきチューブ内に残留した微小気泡を円滑且つ確実に排出することを鋭意検討した。
【０００８】
本発明は、このような事情に鑑みてなされたもので、血液ポンプのローラが被しごきチューブから離間する瞬間に生じる逆流を利用することにより、プライミング工程後に被しごきチューブ内に残留した微小気泡に加え、血液回路及び血液浄化手段の流路から剥がれた微小気泡を円滑且つ確実に排出させることができる血液浄化装置及びその気泡の排出方法を提供することにある。
【課題を解決するための手段】
【０００９】
請求項１記載の発明は、動脈側血液回路及び静脈側血液回路を有するとともに、当該動脈側血液回路の先端から静脈側血液回路の先端まで患者の血液を体外循環させ得る血液回路と、前記動脈側血液回路の基端及び静脈側血液回路の基端に接続され、前記血液回路を流れる血液を浄化し得る血液浄化手段と、前記動脈側血液回路に接続された被しごきチューブと、ロータを回転駆動させることにより前記被しごきチューブをローラでしごいて送液可能なしごき型ポンプから成り、前記ロータを正回転駆動させて前記ローラを前記被しごきチューブの長手方向に沿って転動させることにより前記動脈側血液回路の先端から前記血液浄化手段に向かって送液可能とされるとともに、前記ロータを逆回転駆動させて前記ローラを前記被しごきチューブの長手方向に沿って転動させることにより前記血液浄化手段から前記動脈側血液回路の先端に向かって送液可能な血液ポンプと、前記血液回路内に供給されたプライミング液を外部に排出させ得る排出部と、前記血液回路におけるプライミング液が充填された任意部位を閉塞することにより、前記血液ポンプのロータを正回転駆動させた際に前記被しごきチューブ内に陰圧を発生させ得る閉塞手段と、前記血液ポンプ及び閉塞手段を制御可能な制御手段とを具備した血液浄化装置であって、前記制御手段は、前記血液回路内に供給されたプライミング液を前記排出部から排出させるとともに前記血液回路の流路内に充填させるプライミング工程と、前記プライミング工程後、前記閉塞手段によってプライミング液が充填された前記任意部位を閉塞させるとともに、前記血液ポンプのローラが前記被しごきチューブから離間して逆流が生じる時点まで当該血液ポンプのロータを正回転駆動させる正回転駆動工程と、前記正回転駆動工程において、前記血液ポンプのローラが前記被しごきチューブから離間して逆流を生じさせた後、前記閉塞手段による閉塞を解除しつつ前記ロータを逆回転駆動させ、気泡を移動させ得る逆回転駆動工程と、前記逆回転駆動工程により移動した気泡を前記排出部から排出させる排出工程とを行わせることを特徴とする。
【００１０】
請求項２記載の発明は、請求項１記載の血液浄化装置において、前記血液ポンプのローラが前記被しごきチューブから離間した時点を検出し得る検出手段を具備したことを特徴とする。
【００１１】
請求項３記載の発明は、請求項２記載の血液浄化装置において、前記検出手段は、前記ローラの位置を検出し得る位置検出手段から成ることを特徴とする。
【００１２】
請求項４記載の発明は、請求項２記載の血液浄化装置において、前記検出手段は、前記ローラの正回転駆動に伴って変化する前記血液回路内の圧力を検出可能な圧力検出手段から成ることを特徴とする。
【００１３】
請求項５記載の発明は、請求項１〜４の何れか１つに記載の血液浄化装置において、前記静脈側血液回路には、エアトラップチャンバが接続されるとともに、前記排出部は、当該エアトラップチャンバの上部から延設されたオーバーフローラインから成ることを特徴とする。
【００１４】
請求項６記載の発明は、請求項１〜４の何れか１つに記載の血液浄化装置において、前記排出部は、前記動脈側血液回路の先端又は前記静脈側血液回路の先端から成ることを特徴とする。
【００１５】
請求項７記載の発明は、動脈側血液回路及び静脈側血液回路を有するとともに、当該動脈側血液回路の先端から静脈側血液回路の先端まで患者の血液を体外循環させ得る血液回路と、前記動脈側血液回路の基端及び静脈側血液回路の基端に接続され、前記血液回路を流れる血液を浄化し得る血液浄化手段と、前記動脈側血液回路に接続された被しごきチューブと、ロータを回転駆動させることにより前記被しごきチューブをローラでしごいて送液可能なしごき型ポンプから成り、前記ロータを正回転駆動させて前記ローラを前記被しごきチューブの長手方向に沿って転動させることにより前記動脈側血液回路の先端から前記血液浄化手段に向かって送液可能とされるとともに、前記ロータを逆回転駆動させて前記ローラを前記被しごきチューブの長手方向に沿って転動させることにより前記血液浄化手段から前記動脈側血液回路の先端に向かって送液可能な血液ポンプと、前記血液回路内に供給されたプライミング液を外部に排出させ得る排出部と、前記血液回路におけるプライミング液が充填された任意部位を閉塞することにより、前記血液ポンプのロータを正回転駆動させた際に前記被しごきチューブ内に陰圧を発生させ得る閉塞手段とを具備した血液浄化装置による気泡の排出方法であって、前記血液回路内に供給されたプライミング液を前記排出部から排出させるとともに前記血液回路の流路内に充填させるプライミング工程と、前記プライミング工程後、前記閉塞手段によってプライミング液が充填された前記任意部位を閉塞させるとともに、前記血液ポンプのローラが前記被しごきチューブから離間して逆流が生じる時点まで当該血液ポンプのロータを正回転駆動させる正回転駆動工程と、前記正回転駆動工程において、前記血液ポンプのローラが前記被しごきチューブから離間して逆流を生じさせた後、前記閉塞手段による閉塞を解除しつつ前記ロータを逆回転駆動させ、気泡を移動させ得る逆回転駆動工程と、前記逆回転駆動工程により移動した気泡を前記排出部から排出させる排出工程とを行わせることを特徴とする。
【００１６】
請求項８記載の発明は、請求項７記載の血液浄化装置による気泡の排出方法において、前記血液ポンプのローラが前記被しごきチューブから離間した時点を検出し得る検出手段を具備したことを特徴とする。
【００１７】
請求項９記載の発明は、請求項８記載の血液浄化装置による気泡の排出方法において、前記検出手段は、前記ローラの位置を検出し得る位置検出手段から成ることを特徴とする。
【００１８】
請求項１０記載の発明は、請求項８記載の血液浄化装置による気泡の排出方法において、前記検出手段は、前記ローラの正回転駆動に伴って変化する前記血液回路内の圧力を検出可能な圧力検出手段から成ることを特徴とする。
【００１９】
請求項１１記載の発明は、請求項７〜１０の何れか１つに記載の血液浄化装置による気泡の排出方法において、前記静脈側血液回路には、エアトラップチャンバが接続されるとともに、前記排出部は、当該エアトラップチャンバの上部から延設されたオーバーフローラインから成ることを特徴とする。
【００２０】
請求項１２記載の発明は、請求項７〜１０の何れか１つに記載の血液浄化装置による気泡の排出方法において、前記排出部は、前記動脈側血液回路の先端又は前記静脈側血液回路の先端から成ることを特徴とする。
【発明の効果】
【００２１】
請求項１、７の発明によれば、プライミング工程後、閉塞手段によってプライミング液が充填された任意部位を閉塞させるとともに、血液ポンプのローラが被しごきチューブから離間して逆流が生じる時点まで当該血液ポンプのロータを正回転駆動させる正回転駆動工程を行わせるので、血液ポンプのローラが被しごきチューブから離間する瞬間に生じる逆流を利用することにより、プライミング工程後に被しごきチューブ内に残留した微小気泡に加え、血液回路及び血液浄化手段の流路から剥がれた微小気泡を円滑且つ確実に排出させることができる。
【００２２】
請求項２、８の発明によれば、血液ポンプのローラが被しごきチューブから離間した時点を検出し得る検出手段を具備したので、逆流直後に正回転駆動工程を止め、逆回転駆動工程に移行することができ、逆流によって流れた気泡を戻すことなく排出部から排出させることができる。
【００２３】
請求項３、９の発明によれば、検出手段は、ローラの位置を検出し得る位置検出手段から成るので、血液ポンプのローラが被しごきチューブから離間して逆流が生じる時点を位置検出手段にて正確に検出することができる。
【００２４】
請求項４、１０の発明によれば、検出手段は、ローラの正回転駆動に伴って変化する血液回路内の圧力を検出可能な圧力検出手段から成るので、血液ポンプのローラが被しごきチューブから離間して逆流が生じる時点を、血液浄化治療で必要とされる圧力検出手段を流用して検出することができる。
【００２５】
請求項５、１１の発明によれば、静脈側血液回路には、エアトラップチャンバが接続されるとともに、排出部は、当該エアトラップチャンバの上部から延設されたオーバーフローラインから成るので、動脈側血液回路の先端と静脈側血液回路の先端とを接続してプライミング工程を行った際、被しごきチューブに残留した微小気泡に加え、血液回路及び血液浄化手段の流路から剥がれた微小気泡をオーバーフローラインから良好に排出させることができる。
【００２６】
請求項６、１２の発明によれば、排出部は、動脈側血液回路の先端又は静脈側血液回路の先端から成るので、動脈側血液回路の先端と静脈側血液回路の先端とを接続しないでプライミング工程を行った際、被しごきチューブに残留した微小気泡に加え、血液回路及び血液浄化手段の流路から剥がれた微小気泡を動脈側血液回路の先端又は静脈側血液回路の先端から良好に排出させることができる。
【図面の簡単な説明】
【００２７】
【図１】本発明の第１の実施形態に係る透析装置（血液浄化装置）を示す模式図
【図２】同透析装置に適用される血液ポンプを示す斜視図
【図３】同血液ポンプに被しごきチューブを取り付けた状態を示す平面図
【図４】同透析装置に適用される静脈圧計測手段を示す模式図
【図５】同透析装置によるプライミング工程（オーバーフロー工程）が行われている状態を示す模式図
【図６】同透析装置によるプライミング工程（送液工程）が行われている状態を示す模式図
【図７】同透析装置による正回転駆動工程が行われている状態を示す模式図
【図８】同透析装置による逆回転駆動工程が行われている状態を示す模式図
【図９】同透析装置による排出工程が行われている状態を示す模式図
【図１０】同透析装置の制御手段による制御内容を示すフローチャート
【図１１】同透析装置における正回転駆動工程時、血液ポンプのローラが被しごきチューブをしごいている状態を示す模式図
【図１２】同透析装置における正回転駆動工程時、血液ポンプのローラが被しごきチューブから離間した瞬間の状態を示す模式図
【図１３】同透析装置における逆回転駆動工程時、血液ポンプのローラが被しごきチューブをしごいている状態を示す模式図
【図１４】本発明の第２の実施形態に係る透析装置（血液浄化装置）を示す図であって、プライミング工程（動脈側プライミング工程）が行われている状態を示す模式図
【図１５】同透析装置によるプライミング工程（静脈側プライミング工程）が行われている状態を示す模式図
【図１６】同透析装置による正回転駆動工程が行われている状態を示す模式図
【図１７】同透析装置による逆回転駆動工程及び排出工程が行われている状態を示す模式図
【図１８】同透析装置の制御手段による制御内容を示すフローチャート
【図１９】本発明の他の実施形態に係る透析装置を示す模式図
【発明を実施するための形態】
【００２８】
以下、本発明の実施形態について図面を参照しながら具体的に説明する。
第１の実施形態に係る血液浄化装置は、透析治療を行うための透析装置から成り、図１に示すように、動脈側血液回路１及び静脈側血液回路２から成る血液回路と、動脈側血液回路１の基端及び静脈側血液回路２の基端に接続され、血液回路を流れる血液を浄化するダイアライザ３（血液浄化手段）と、静脈側血液回路２に接続されたエアトラップチャンバ５と、動脈側血液回路１に接続され、血液回路内にプライミング液を供給し得るプライミング液供給ラインＬｄと、プライミング液供給ラインＬｄにて血液回路内に供給されたプライミング液を外部に排出させ得るオーバーフローラインＬｅ（排出部）と、血液回路におけるプライミング液が充填された任意部位を閉塞することにより、血液ポンプ４のロータ１３を正回転駆動させた際に被しごきチューブＨ内に陰圧を発生させ得る閉塞手段（本実施形態においては、電磁弁Ｖ１）と、血液ポンプ４及び閉塞手段（電磁弁Ｖ１）を制御可能な制御手段Ｅとから主に構成されている。
【００２９】
動脈側血液回路１には、その先端にコネクタｃを介して動脈側穿刺針ａが接続されるとともに、途中にしごき型の血液ポンプ４が配設されている。静脈側血液回路２には、その先端にコネクタｄを介して静脈側穿刺針ｂが接続されるとともに、途中にエアトラップチャンバ５が接続されている。さらに、動脈側血液回路１の先端側（コネクタｃ近傍）及び静脈側血液回路２の先端側（コネクタｄ近傍）には、それら流路をそれぞれ閉塞又は開放し得る電磁弁Ｖ１及びＶ２が接続されている。
【００３０】
そして、動脈側穿刺針ａ及び静脈側穿刺針ｂを患者に穿刺した状態で、血液ポンプ４を駆動させると、患者の血液は、動脈側血液回路１を通ってダイアライザ３に至った後、該ダイアライザ３によって血液浄化が施され、エアトラップチャンバ５で除泡がなされつつ静脈側血液回路２を通って患者の体内に戻る。すなわち、患者の血液を血液回路の動脈側血液回路１の先端から静脈側血液回路２の先端まで体外循環させつつダイアライザ３にて浄化することにより血液浄化治療が行われるのである。なお、本明細書においては、血液を脱血（採血）する穿刺針の側を「動脈側」と称し、血液を返血する穿刺針の側を「静脈側」と称しており、「動脈側」及び「静脈側」とは、穿刺の対象となる血管が動脈及び静脈の何れかによって定義されるものではない。
【００３１】
また、動脈側血液回路１の途中（プライミング液供給ラインＬｄの接続部とダイアライザ３との間）には、被しごきチューブＨが接続されており、当該被しごきチューブＨを血液ポンプ４（具体的には、図２、３に基づいて後で詳述する血液ポンプ４のステータ１２に形成された取付凹部１２ａ）に取り付けることが可能とされている。かかる被しごきチューブＨは、血液ポンプ４（しごき型ポンプ）のローラ１４（しごき部）にて径方向に圧縮されつつ長手方向にしごかれて内部の液体をロータ１３の回転方向に流動させ得るものであり、動脈側血液回路１を構成する他の可撓性チューブより軟質且つ大径の可撓性チューブから成る。
【００３２】
本実施形態に係る血液ポンプ４は、図２、３に示すように、ステータ１２と、ステータ１２内で回転駆動可能なロータ１３と、該ロータ１３に形成されたローラ１４と、上下一対のガイドピン１５と、被しごきチューブＨを把持して固定する把持部１６とから主に構成されている。なお、同図においては、血液ポンプ４におけるステータ１２の上部を覆うカバーについて省略してある。
【００３３】
ステータ１２は、被しごきチューブＨが取り付けられる取付凹部１２ａが形成されたもので、図２、３に示すように、当該取付凹部１２ａを形成する内周壁面に沿って被しごきチューブＨが取り付けられるよう構成されている。また、取付凹部１２ａの略中央には、モータにより回転駆動可能なロータ１３が配設されている。かかるロータ１３の側面（取付凹部１２ａの内周壁面と対向する面）には、一対（２つ）のローラ１４と、ガイドピン１５とが配設されている。
【００３４】
ローラ１４は、ロータ１３の外縁側に形成された回転軸Ｍ（図３参照）を中心として回転可能とされたもので、取付凹部１２ａに取り付けられた被しごきチューブＨを径方向に圧縮しつつ当該ロータ１３の回転に伴い長手方向（血液の流動方向）にしごくことにより、動脈側血液回路１内で血液を流動させ得るものである。すなわち、取付凹部１２ａ内に被しごきチューブＨを取り付けてロータ１３を回転駆動させると、ローラ１４と取付凹部１２ａの内周壁面との間で当該被しごきチューブＨが圧縮されるとともに、ロータ１３の回転駆動に伴ってその回転方向（被しごきチューブＨの長手方向）にしごき得るのである。かかるしごき作用により、動脈側血液回路１内の血液がロータ１３の回転方向に送液されることとなるので、当該動脈側血液回路１内で体外循環させることが可能とされている。
【００３５】
さらに、本実施形態に係る血液ポンプ４は、ロータ１３を正回転駆動させてローラ１４を同方向（図３の符号αで示す方向）に回動させつつ被しごきチューブＨの長手方向に沿って転動させることにより動脈側血液回路１の先端からダイアライザ３（血液浄化手段）に向かって送液可能とされるとともに、ロータ１３を逆回転駆動させてローラ１４を同方向（図３の符号βで示す方向）に回動させつつ被しごきチューブＨの長手方向に沿って転動させることによりダイアライザ３（血液浄化手段）から動脈側血液回路１の先端に向かって送液可能とされている。
【００３６】
ガイドピン１５は、図２に示すように、ロータ１３の上端側及び下端側から取付凹部１２ａの内周壁面に向かってそれぞれ突出形成された上下一対のピン状部材から成るものであり、これら上下一対のガイドピン１５の間に被しごきチューブＨが保持されることとなる。すなわち、ロータ１３の駆動時、上下一対のガイドピン１５により被しごきチューブＨを正規の位置に保持させ、取付凹部１２ａから被しごきチューブＨが上方又は下方に離脱しないようになっているのである。
【００３７】
ここで、本実施形態に係る血液ポンプ４には、そのローラ１４の位置を検出し得る位置検出手段Ｓが取り付けられている。かかる位置検出手段Ｓは、例えばロータ１３の回転角度を検出することにより、ローラ１４の位置を検出可能とされており、これにより、血液ポンプ４のローラ１４が被しごきチューブＨから離間した時点（図１２参照）を検出し得るようになっている。
【００３８】
エアトラップチャンバ５には、上部から延びて先端が大気解放とされたオーバーフローラインＬｅ（排出部）が延設されており、当該エアトラップチャンバ５をオーバーフローした液体（プライミング液）を外部に排出させ得るよう構成されている。このオーバーフローラインＬｅには、電磁弁Ｖ３が配設されており、当該オーバーフローラインＬｅの流路を任意タイミングで閉塞又は開放可能とされている。
【００３９】
ダイアライザ３は、その筐体部に、血液導入口３ａ（血液導入ポート）、血液導出口３ｂ（血液導出ポート）、透析液導入口３ｃ（透析液流路入口：透析液導入ポート）及び透析液導出口３ｄ（透析液流路出口：透析液導出ポート）が形成されており、このうち血液導入口３ａには動脈側血液回路１の基端が、血液導出口３ｂには静脈側血液回路２の基端がそれぞれ接続されている。また、透析液導入口３ｃ及び透析液導出口３ｄは、透析装置本体から延設された透析液導入ラインＬａ及び透析液排出ラインＬｂにそれぞれ接続されている。
【００４０】
ダイアライザ３内には、複数の中空糸（不図示）が収容されており、この中空糸が血液を浄化するための血液浄化膜を構成している。而して、ダイアライザ３内には、血液浄化膜を介して患者の血液が流れる血液流路（血液導入口３ａと血液導出口３ｂとの間の流路）及び透析液が流れる透析液流路（透析液導入口３ｃと透析液導出口３ｄとの間の流路）が形成されている。そして、血液浄化膜を構成する中空糸には、その外周面と内周面とを貫通した微小な孔（ポア）が多数形成されて中空糸膜を形成しており、該膜を介して血液中の不純物等が透析液内に透過し得るよう構成されている。
【００４１】
複式ポンプ１０は、透析装置本体内で透析液導入ラインＬａ及び透析液排出ラインＬｂに跨って配設されているとともに、透析液排出ラインＬｂにおける複式ポンプ１０をバイパスするバイパスラインＬｃには、ダイアライザ３中を流れる患者の血液から水分を除去するための除水ポンプ１１が配設されている。なお、透析液導入ラインＬａの一端は、ダイアライザ３（透析液導入口３ｃ）に接続されるとともに、他端が所定濃度の透析液を調製する透析液供給装置（不図示）に接続されている。また、透析液排出ラインＬｂの一端は、ダイアライザ３（透析液導出口３ｄ）に接続されるとともに、他端が図示しない排液手段と接続されており、透析液供給装置から供給された透析液が透析液導入ラインＬａを通ってダイアライザ３に至った後、透析液排出ラインＬｂを通って排液手段に送られるようになっている。
【００４２】
プライミング液供給ラインＬｄは、その一端が透析液導入ラインＬａにおける複式ポンプ１０とダイアライザ３との間の所定位置に接続されるとともに、他端が動脈側血液回路１における血液ポンプ４と動脈側気泡検知手段６との間の所定位置に接続されている。かかるプライミング液供給ラインＬｄには、その流路を任意タイミングで閉塞又は開放し得る電磁弁Ｖ４が配設されており、当該電磁弁Ｖ４を開状態とすることで、透析液導入ラインＬａの透析液（プライミング液）を動脈側血液回路１に供給し得るようになっている。
【００４３】
一方、動脈側血液回路１の先端側には、その部位を流れる液体中の気泡を検知し得る動脈側気泡検知手段６が配設されるとともに、静脈側血液回路２の先端側には、その部位を流れる液体中の気泡を検知し得る静脈側気泡検知手段７が配設されている。なお、図中符号８、９は、動脈側血液回路１の先端側及び静脈側血液回路２の先端側にそれぞれ配設された血液判別器をそれぞれ示している。
【００４４】
また、本実施形態における静脈側血液回路２には、静脈圧を計測し得る静脈圧計測手段Ｐが形成されている。この静脈圧計測手段Ｐは、静脈側血液回路２におけるダイアライザ３とエアトラップチャンバ５との間の位置に形成されており、静脈側血液回路２を流れる血液の液圧を計測することにより、血液浄化治療中の患者の静脈圧を経時的に計測し得るよう構成されている。
【００４５】
なお、本実施形態に係る静脈圧計測手段Ｐは、例えば静脈側血液回路２に接続されたチャンバ部及び当該チャンバ部内の液圧を計測し得るセンサ等から構成されている。チャンバ部は、血液浄化治療前においてはプライミング液、血液浄化治療中においては血液で満たされた状態とされ、空気層が形成されないようになっている。しかして、静脈圧計測手段Ｐを流れる液体（血液）の液圧がセンサによって直接計測され、血液浄化治療中の患者の静脈圧を経時的に監視し得るものとされている。
【００４６】
具体的には、本実施形態に係る静脈圧計測手段Ｐは、図４（ａ）に示すように、静脈側血液回路２に接続されたチャンバ部ｍ１を有するとともに、そのチャンバ部ｍ１内に液体を透過しない膜ｍ２が形成されており、当該チャンバ部ｍ１内において、液体が充填可能な液相Ｑ１と、空気が充填可能な気相Ｑ２とが形成可能とされている。さらに、気相Ｑ２側からは、大気開放ラインＬｆが延設されており、その大気開放ラインＬｆに、しごき型ポンプから成るレベル調整用ポンプ１７が取り付けられている。そして、同図（ｂ）に示すように、レベル調整用ポンプ１７を駆動させることにより、気相Ｑ２内の空気を外部に排出させることにより、チャンバ部ｍ１内における膜ｍ２の位置（液面）を調整し得る（本実施形態においてはチャンバ部ｍ１内の空気を全て排出して空気層を形成しない）ようになっている。
【００４７】
電磁弁Ｖ１〜Ｖ４は、上述のように開閉動作により、配設された各々の部位における流路を閉塞及び開放し得るものであり、その開閉動作がマイコン等で構成された制御手段Ｅにて制御されるようになっている。特に、本実施形態における制御手段Ｅは、静脈側気泡検知手段７による検知信号を受信し且つ血液ポンプ４及び各電磁弁Ｖ１〜Ｖ４を制御可能なものとされ、これら構成要素と電気的に接続されている。
【００４８】
ここで、本実施形態に係る制御手段Ｅは、透析治療前（血液浄化治療前）において、プライミング液供給ラインＬｄから血液回路内に供給されたプライミング液をオーバーフローラインＬｅ（排出部）から排出させるとともに血液回路の流路内に充填させるプライミング工程と、プライミング工程後、電磁弁Ｖ１（閉塞手段）によってプライミング液が充填された任意部位を閉塞させるとともに、血液ポンプ４のローラ１４が被しごきチューブＨから離間して逆流が生じる時点まで当該血液ポンプ４のロータ１３を正回転駆動させ、当該被しごきチューブＨ内で逆流を生じさせ得る正回転駆動工程と、正回転駆動工程において、血液ポンプ４のローラ１４が被しごきチューブＨから離間して逆流を生じさせた後、電磁弁Ｖ１（閉塞手段）による閉塞を解除しつつロータ１３を逆回転駆動させ、被しごきチューブＨ内の気泡を移動させ得る逆回転駆動工程と、逆回転駆動工程により移動した気泡をオーバーフローラインＬｅ（排出部）から排出させる排出工程とを順次行わせるようになっている。
【００４９】
以下、本実施形態に係る制御手段Ｅによる制御内容について、図１０のフローチャートに基づいて説明する。
血液浄化治療前において、図５、６に示すように、ダイアライザ３の血液導入口３ａが上方を向いた状態（図示しない固定手段により固定）とし、且つ、コネクタｃとコネクタｄとを接続して互いの流路を連通させた後、プライミング工程（オーバーフロー工程Ｓ１及び送液工程Ｓ２）を行わせる。かかるプライミング工程は、プライミング液供給ラインＬｄから供給されたプライミング液をオーバーフローラインＬｅ（排出部）から排出させるとともに血液回路の流路内に充填させる工程であり、本実施形態においては、オーバーフロー工程Ｓ１（図５）と送液工程Ｓ２（図６）とが繰り返し行われる。
【００５０】
オーバーフロー工程Ｓ１は、図５に示すように、血液ポンプ４を停止させつつ電磁弁（Ｖ１〜Ｖ４）を開状態とすることにより、プライミング液供給ラインＬｄから供給されたプライミング液（透析液）をエアトラップチャンバ５まで流動させ、当該エアトラップチャンバ５をオーバーフローしたプライミング液をオーバーフローラインＬｅを介して外部に排出させる工程である。これにより、プライミング液供給ラインＬｄにて供給されたプライミング液（透析液）は、動脈側血液回路１におけるプライミング液供給ラインＬｄとの接続部から、動脈側血液回路１の先端部と静脈側血液回路２の先端部との接続部を介し、エアトラップチャンバ５に至る流路及び当該エアトラップチャンバ５内に充填されることとなる。
【００５１】
そして、オーバーフロー工程Ｓ１が開始されてから所定時間経過すると、送液工程Ｓ２が行われる。かかる送液工程Ｓ２は、図６に示すように、血液ポンプ４を逆回転駆動（図６のβ方向へ回転駆動）させつつ電磁弁（Ｖ１、Ｖ２）を開状態、且つ、電磁弁（Ｖ３、Ｖ４）を閉状態とすることにより、オーバーフロー工程Ｓ１にて充填されたプライミング液（透析液）を血液回路内で送液（循環）させる工程である。これにより、ダイアライザ３内の血液側流路を下方から上方に向けてプライミング液が流れることとなり、気泡がスムーズに上方へ移動して除去されることとなる。
【００５２】
上記の如き送液工程Ｓ２の後、静脈側気泡検知手段７が気泡検知したか否かが判定され（Ｓ３）、気泡検知が検知されたと判定すると、再びオーバーフロー工程Ｓ１が行われることとなる。そして、オーバーフロー工程Ｓ１が所定時間行われた後、送液工程Ｓ２が行われ、再度Ｓ３にて気泡検知があるか否かが判定される。こうして、静脈側気泡検知手段７による気泡検知がなくなるまでオーバーフロー工程Ｓ１と送液工程Ｓ２とが繰り返し行われることにより、血液回路及びエアトラップチャンバ５内にプライミング液が充填されることとなる。
【００５３】
そして、Ｓ３にて静脈側気泡検知手段７による気泡検知がないと判定され、プライミング工程（オーバーフロー工程Ｓ１及び送液工程Ｓ２）が終了すると、動脈側血液回路１及び静脈側血液回路２の流路、並びにダイアライザ３の血液流路には、プライミング液が満たされた状態（充填状態）とされるとともに、エアトラップチャンバ５及び静脈圧計測手段Ｐのチャンバ部もプライミング液が満たされた状態（空気層が形成されない状態）とされる。
【００５４】
上記のようにプライミング工程が終了すると、正回転駆動工程Ｓ４が行われる。かかる正回転駆動工程Ｓ４は、図７に示すように、血液ポンプ４を正回転駆動（図７のα方向へ回転駆動）させつつ電磁弁（Ｖ１、Ｖ３、Ｖ４）を閉状態、且つ、電磁弁Ｖ２を開状態とすることにより、被しごきチューブＨ内に陰圧を発生させるとともに、血液ポンプ４のローラ１４が被しごきチューブＨから離間して当該被しごきチューブＨ内で逆流が生じる時点まで当該血液ポンプ４のロータ１３を正回転駆動させる工程である。この場合、閉塞手段は、電磁弁Ｖ１（閉塞手段）により構成される。
【００５５】
すなわち、電磁弁（Ｖ１、Ｖ４）を閉状態としつつ血液ポンプ４を正回転駆動図７のα方向へ回転駆動）させると、動脈側血液回路１における血液ポンプ４と電磁弁Ｖ１との間の流路に加え、図１１に示すように、被しごきチューブＨの一部（ローラ１４でしごかれている部位までの流路Ｈａ）に陰圧を発生させることができる。なお、図中符号Ｈｂは、被しごきチューブＨにおける陰圧が発生していない流路（ローラ１４でしごかれていない部位の流路）を示している。そして、図１２に示すように、血液ポンプ４のローラ１４が被しごきチューブＨから離間する瞬間において、当該被しごきチューブＨの復元力によって逆流が生じ、その逆流に乗って微小気泡が同方向（図１２の符号γで示す方向）に移動することとなる。
【００５６】
しかして、Ｓ５において、ローラ１４が被しごきチューブＨから離間する所定位置に達したことを位置検出手段Ｓにて検出されると、逆回転駆動工程Ｓ６に進む。かかる逆回転駆動工程Ｓ６は、正回転駆動工程Ｓ４において、血液ポンプ４のローラ１４が被しごきチューブＨから離間して逆流を生じさせた後、閉塞手段（電磁弁Ｖ１）による閉塞を解除しつつロータ１３を逆回転駆動させ、被しごきチューブ内に残留した微小気泡に加え、血液回路及び血液浄化手段の流路から剥がれた微小気泡を移動させ得る工程である。
【００５７】
より具体的には、逆回転駆動工程Ｓ６は、図８に示すように、血液ポンプ４を逆回転駆動させつつ電磁弁（Ｖ１、Ｖ２）を開状態、且つ、電磁弁（Ｖ３、Ｖ４）を閉状態とすることにより、被しごきチューブ内に残留した微小気泡に加え、血液回路及び血液浄化手段の流路から剥がれた微小気泡を、エアトラップチャンバ５まで流動させる工程とされている。なお、逆回転駆動工程Ｓ６時においては、電磁弁Ｖ１による閉塞が解除（すなわち、電磁弁Ｖ１が開状態）とされるので、被しごきチューブＨは、図１３に示すように、陰圧が解消されつつローラ１４にてしごかれることとなる。
【００５８】
そして、逆回転駆動工程Ｓ６の後、排出工程Ｓ７が行われる。かかる排出工程Ｓ７は、逆回転駆動工程Ｓ６により移動した気泡をオーバーフローラインＬｅ（排出部）から排出させる工程であり、図９に示すように、血液ポンプ４を停止させつつ電磁弁（Ｖ１〜Ｖ４）を開状態とすることにより、第１排出工程Ｓ５にてエアトラップチャンバ５まで流れた気泡をオーバーフローラインＬｅを介して外部に排出させることができる。このように、逆回転駆動工程Ｓ６及び排出工程Ｓ７を経ることにより、正回転駆動工程Ｓ４で生じた逆流に乗った微小気泡を外部に排出させることができる。
【００５９】
本実施形態によれば、プライミング工程（オーバーフロー工程Ｓ１及び送液工程Ｓ２）後、電磁弁Ｖ１（閉塞手段）によってプライミング液が充填された任意部位を閉塞させるとともに、血液ポンプ４のローラ１４が被しごきチューブＨから離間して逆流が生じる時点まで当該血液ポンプ４のロータ１３を正回転駆動させる正回転駆動工程を行わせるので、血液ポンプ４のローラ１４が被しごきチューブＨから離間する瞬間に生じる逆流を利用することにより、プライミング工程後に被しごきチューブＨ内に残留した微小気泡に加え、血液回路及び血液浄化手段の流路から剥がれた微小気泡を円滑且つ確実に排出させることができる。
【００６０】
また、上記実施形態によれば、血液ポンプ４のローラ１４が被しごきチューブＨから離間した時点を検出し得る検出手段（位置検出手段Ｓ）を具備したので、逆流直後に正回転駆動工程を止め、逆回転駆動工程に移行することができ、逆流によって流れた気泡を戻すことなく排出部（オーバーフローラインＬｅ）から排出させることができる。特に、本実施形態に係る検出手段は、ローラ１４の位置を検出し得る位置検出手段Ｓから成るので、血液ポンプ４のローラ１４が被しごきチューブＨから離間して逆流が生じる時点を位置検出手段Ｓにて正確に検出することができる。
【００６１】
さらに、本実施形態によれば、静脈側血液回路２には、エアトラップチャンバ５が接続されるとともに、気泡を排出するための排出部は、当該エアトラップチャンバ５の上部から延設されたオーバーフローラインＬｅから成るので、動脈側血液回路１の先端と静脈側血液回路２の先端とを接続してプライミング工程を行った際、被しごきチューブＨに残留した微小気泡に加え、血液回路及び血液浄化手段の流路から剥がれた微小気泡をオーバーフローラインＬｅから良好に排出させることができる。
【００６２】
次に、本発明に係る第２の実施形態について説明する。
本実施形態に係る血液浄化装置は、第１の実施形態と同様、透析治療を行うための透析装置から成り、図１４に示すように、動脈側血液回路１及び静脈側血液回路２から成る血液回路と、動脈側血液回路１の基端及び静脈側血液回路２の基端に接続され、血液回路を流れる血液を浄化するダイアライザ３（血液浄化手段）と、静脈側血液回路２に接続されたエアトラップチャンバ５と、動脈側血液回路１に接続され、血液回路内にプライミング液を供給し得るプライミング液供給ラインＬｄと、血液回路におけるプライミング液が充填された任意部位を閉塞することにより、血液ポンプ４のロータ１３を正回転駆動させた際に被しごきチューブＨ内に陰圧を発生させ得る閉塞手段（本実施形態においては、電磁弁Ｖ１）と、血液ポンプ４及び閉塞手段（電磁弁Ｖ１）を制御可能な制御手段Ｅとから主に構成されている。
【００６３】
ここで、本実施形態に係る排出部（プライミング液供給ラインＬｄにて血液回路内に供給されたプライミング液を外部に排出させ得る排出部）は、動脈側血液回路１の先端又は静脈側血液回路２の先端から成るものとされている。また、本実施形態においては、第１の実施形態に係るエアトラップチャンバ５から延設されたオーバーフローラインＬｅを具備していない。なお、第１の実施形態と同様の構成要素には同一の符号を付すこととし、それらの詳細な説明を省略する。
【００６４】
以下、本実施形態に係る制御手段Ｅによる制御内容について、図１８のフローチャートに基づいて説明する。
血液浄化治療前において、図１４、１５に示すように、ダイアライザ３の血液導入口３ａが上方を向いた状態（図示しない固定手段により固定）とし、且つ、コネクタｃとコネクタｄとを開放した状態（コネクタ同士を接続しない状態）とした後、プライミング工程（動脈側プライミング工程Ｓ１及び静脈側プライミング工程Ｓ２）を行わせる。かかるプライミング工程は、プライミング液供給ラインＬｄから供給されたプライミング液を動脈側血液回路１の先端及び静脈側血液回路２の先端（排出部）から排出させるとともに血液回路の流路内に充填させる工程であり、本実施形態においては、動脈側プライミング工程Ｓ１（図１４）と静脈側プライミング工程Ｓ２（図１５）とが行われる。
【００６５】
動脈側プライミング工程Ｓ１は、図１４に示すように、血液ポンプ４を停止させつつ電磁弁（Ｖ１、Ｖ２、Ｖ４）を開状態とすることにより、プライミング液供給ラインＬｄから供給されたプライミング液（透析液）を動脈側血液回路１の先端まで流動させ、当該先端から外部に排出させる工程である。これにより、プライミング液供給ラインＬｄにて供給されたプライミング液（透析液）は、動脈側血液回路１におけるプライミング液供給ラインＬｄとの接続部から、動脈側血液回路１の先端部に至る流路に充填されることとなる。
【００６６】
そして、動脈側プライミング工程Ｓ１が開始されてから所定時間経過すると、静脈側プライミング工程Ｓ２が行われる。かかる静脈側プライミング工程Ｓ２は、図１５に示すように、血液ポンプ４を正回転駆動させつつ電磁弁（Ｖ２、Ｖ４）を開状態、且つ、電磁弁Ｖ１を閉状態とすることにより、プライミング液供給ラインＬｄから供給されたプライミング液（透析液）を静脈側血液回路２の先端まで流動させ、当該先端から外部に排出させる工程である。これにより、プライミング液供給ラインＬｄにて供給されたプライミング液（透析液）は、動脈側血液回路１におけるプライミング液供給ラインＬｄとの接続部から、ダイアライザ３の血液側流路を介して、動脈側血液回路２の先端部に至る流路に充填されることとなる。
【００６７】
その後、静脈側プライミング工程Ｓ２が開始されてから所定時間経過すると、プライミング工程が終了すると、動脈側血液回路１及び静脈側血液回路２の流路、並びにダイアライザ３の血液流路には、プライミング液が満たされた状態（充填状態）とされるとともに、エアトラップチャンバ５及び静脈圧計測手段Ｐのチャンバ部もプライミング液が満たされた状態（空気層が形成されない状態）とされる。
【００６８】
上記のようにプライミング工程が終了すると、正回転駆動工程Ｓ３が行われる。かかる正回転駆動工程Ｓ３は、図１６に示すように、血液ポンプ４を正回転駆動させつつ電磁弁（Ｖ１、Ｖ２、Ｖ４）を閉状態とすることにより、被しごきチューブＨ内に陰圧を発生させるとともに、血液ポンプ４のローラ１４が被しごきチューブＨから離間して当該被しごきチューブＨ内で逆流が生じる時点まで当該血液ポンプ４のロータ１３を正回転駆動させる工程である。この場合、閉塞手段は、電磁弁Ｖ１（閉塞手段）により構成される。
【００６９】
すなわち、電磁弁（Ｖ１、Ｖ４）を閉状態としつつ血液ポンプ４を正回転駆動させると、動脈側血液回路１における血液ポンプ４と電磁弁Ｖ１との間の流路に加え、図１１に示すように、被しごきチューブＨの一部（ローラ１４でしごかれている部位までの流路Ｈａ）に陰圧を発生させることができる。なお、図中符号Ｈｂは、被しごきチューブＨにおける陰圧が発生していない流路（ローラ１４でしごかれていない部位の流路）を示している。そして、図１２に示すように、血液ポンプ４のローラ１４が被しごきチューブＨから離間する瞬間において、当該被しごきチューブＨの復元力によって逆流が生じ、その逆流に乗って微小気泡が同方向（図１２の符号γで示す方向）に移動することとなる。
【００７０】
しかして、Ｓ４において、ローラ１４が被しごきチューブＨから離間する所定位置に達したことを位置検出手段Ｓにて検出されると、逆回転駆動工程及び排出工程Ｓ５に進む。かかる逆回転駆動工程及び排出工程Ｓ５は、正回転駆動工程Ｓ４において、血液ポンプ４のローラ１４が被しごきチューブＨから離間して逆流を生じさせた後、閉塞手段（電磁弁Ｖ１）による閉塞を解除しつつロータ１３を逆回転駆動させ、被しごきチューブＨ内の気泡に加え、血液回路及び血液浄化手段の流路から剥がれた微小気泡を移動するとともに、その気泡を動脈側血液回路１の先端（排出部）から排出させる工程である。
【００７１】
より具体的には、逆回転駆動工程及び排出工程Ｓ５は、図１７に示すように、血液ポンプ４を逆回転駆動させつつ電磁弁（Ｖ１、Ｖ２）を開状態、且つ、電磁弁Ｖ４を閉状態とすることにより、被しごきチューブＨに加え、血液回路及びダイアライザ３から剥がれた微小気泡を逆流に乗せ、その逆流に乗った微小気泡を動脈側血液回路１の先端及び静脈側血液回路２の先端（排出部）を介して外部に排出させる工程とされている。なお、逆回転駆動工程及び排出工程Ｓ５時においては、電磁弁Ｖ１による閉塞が解除（すなわち、電磁弁Ｖ１が開状態）とされるので、被しごきチューブＨは、図１３に示すように、陰圧が解消されつつローラ１４にてしごかれることとなる。このように、逆回転駆動工程及び排出工程Ｓ５を経ることにより、正回転駆動工程Ｓ３で生じた逆流に乗った微小気泡（被しごきチューブ内に残留した微小気泡に加え、血液回路及び血液浄化手段の流路から剥がれた微小気泡）を外部に排出させることができる。
【００７２】
本実施形態によれば、プライミング工程（動脈側プライミング工程Ｓ１及び静脈側プライミング工程Ｓ２）後、電磁弁Ｖ１（閉塞手段）によってプライミング液が充填された任意部位を閉塞させるとともに、血液ポンプ４のローラ１４が被しごきチューブＨから離間して逆流が生じる時点まで当該血液ポンプ４のロータ１３を正回転駆動させるので、血液ポンプ４のローラ１４が被しごきチューブＨから離間する瞬間に生じる逆流を利用することにより、プライミング工程後に被しごきチューブＨ内に残留した微小気泡に加え、血液回路及び血液浄化手段の流路から剥がれた微小気泡を円滑且つ確実に排出させることができる。
【００７３】
また、上記実施形態によれば、血液ポンプ４のローラ１４が被しごきチューブＨから離間した時点を検出し得る検出手段（位置検出手段Ｓ）を具備したので、逆流直後に正回転駆動工程を止め、逆回転駆動工程に移行することができ、逆流によって流れた気泡を戻すことなく排出部（オーバーフローラインＬｅ）から排出させることができる。特に、本実施形態に係る検出手段は、ローラ１４の位置を検出し得る位置検出手段Ｓから成るので、血液ポンプ４のローラ１４が被しごきチューブＨから離間して逆流が生じる時点を位置検出手段Ｓにて正確に検出することができる。
【００７４】
さらに、本実施形態によれば、気泡を排出するための排出部は、動脈側血液回路１の先端（又は静脈側血液回路２の先端であってもよい）から成るので、動脈側血液回路１の先端と静脈側血液回路２の先端とを接続しないでプライミング工程を行った際、被しごきチューブＨに残留した微小気泡に加え、血液回路及び血液浄化手段の流路から剥がれた微小気泡を動脈側血液回路１の先端（又は静脈側血液回路の先端）から良好に排出させることができる。
【００７５】
以上、本実施形態について説明したが、本発明はこれに限定されるものではなく、例えば図１９に示すように、位置検出手段Ｓを具備しないものとし、血液ポンプ４のローラ１４が被しごきチューブＨから離間した時点を検出し得る検出手段として静脈圧計測手段Ｐを利用したものとしてもよい。すなわち、静脈圧計測手段Ｐは、ローラ１４の正回転駆動に伴って変化（脈動によって変化）する血液回路内の圧力を検出可能なものであるため、検出された圧力変化に基づいて、血液ポンプ４のローラ１４が被しごきチューブＨから離間した時点を検出することができるのである。この場合、血液ポンプ４のローラ１４が被しごきチューブＨから離間して逆流が生じる時点を、血液浄化治療で必要とされる圧力検出手段Ｐを流用して検出することができる。
【００７６】
また、プライミング工程は、プライミング液供給ラインＬｄから供給されたプライミング液を排出部（オーバーフローラインＬｅや動脈側血液回路１若しくは静脈側血液回路２の先端等）から排出させるとともに血液回路の流路内に充填させる工程であれば、他の如何なる形態の工程であってもよい。
【００７７】
さらに、本実施形態に係るプライミング液供給ラインＬｄは、その一端が透析液導入ラインＬａに接続され、電磁弁Ｖ４を開状態とすることで血液回路に対してプライミング液としての透析液を供給するものとされているが、例えば生理食塩液が収容された収容バッグにプライミング液供給ラインＬｄの一端を接続し、血液回路に対してプライミング液としての生理食塩液を供給するものとしてもよい。さらに、プライミング液供給ラインＬｄを形成せず、例えばダイアライザ３の浄化膜（本実施形態においては中空糸膜）を介して透析液導入ラインＬａの透析液（プライミング液）を濾過（逆濾過）させ、血液回路（動脈側血液回路１及び静脈側血液回路２）に供給し得るものであってもよい。
【００７８】
なお、プライミング液として、透析液や生理食塩液とは異なる他の液体を用いるものとしてもよい。また、本実施形態においては、透析治療時に用いられる透析装置に適用しているが、患者の血液を体外循環させつつ浄化し得る他の装置（例えば血液濾過透析法、血液濾過法、ＡＦＢＦで使用される血液浄化装置、血漿吸着装置など）に適用してもよい。
【産業上の利用可能性】
【００７９】
供給されたプライミング液を排出部から排出させるとともに血液回路の流路内に充填させるプライミング工程と、プライミング工程後、閉塞手段によってプライミング液が充填された任意部位を閉塞させるとともに、血液ポンプのローラが被しごきチューブから離間して逆流が生じる時点まで当該血液ポンプのロータを正回転駆動させる正回転駆動工程と、正回転駆動工程において、血液ポンプのローラが被しごきチューブから離間して逆流を生じさせた後、閉塞手段による閉塞を解除しつつロータを逆回転駆動させ、気泡を移動させ得る逆回転駆動工程と、逆回転駆動工程により移動した気泡を排出部から排出させる排出工程とを行わせる血液浄化装置及びその気泡の排出方法であれば、他の形態及び用途のものにも適用することができる。
【符号の説明】
【００８０】
１    動脈側血液回路
２    静脈側血液回路
３    ダイアライザ（血液浄化手段）
４    血液ポンプ
５    エアトラップチャンバ
６    動脈側気泡検知手段
７  静脈側気泡検知手段
８、９  血液判別器
１０  複式ポンプ
１１  除水ポンプ
１２  ステータ
１２ａ  取付凹部
１３  ロータ
１４  ローラ（しごき部）
１５  ガイドピン
１６  把持部
１７  レベル調整用ポンプ
Ｐ    静脈圧計測手段
Ｓ  位置検出手段
Ｈ  被しごきチューブ
Ｅ  制御手段
Ｌａ  透析液導入ライン
Ｌｂ  透析液排出ライン
Ｌｃ  バイパスライン
Ｌｄ  プライミング液供給ライン
Ｌｅ  オーバーフローライン
Ｌｆ  大気開放ライン
【図１】
2019047855.tif 000003
【図２】
2019047855.tif 000004
【図３】
2019047855.tif 000005
【図４】
2019047855.tif 000006
【図５】
2019047855.tif 000007
【図６】
2019047855.tif 000008
【図７】
2019047855.tif 000009
【図８】
2019047855.tif 000010
【図９】
2019047855.tif 000011
【図１０】
2019047855.tif 000012
【図１１】
2019047855.tif 000013
【図１２】
2019047855.tif 000014
【図１３】
2019047855.tif 000015
【図１４】
2019047855.tif 000016
【図１５】
2019047855.tif 000017
【図１６】
2019047855.tif 000018
【図１７】
2019047855.tif 000019
【図１８】
2019047855.tif 000020
【図１９】
2019047855.tif 000021